(57)【要約】【課題】フィルタの設置及び交替作業が極めて簡便かつ迅速に行われるようにする板ガラス搬送装置のフィルタ設置構造を提供すること。【解決手段】作業台１上に設けられ、エアチャンバ１０と、その内部に設けられるフィルタ２０と、下部に設けられる吐出ファン３０とを有するエア浮上器２と、エア浮上器２の幅方向の両側部に設けられ、エア浮上器２の上部に搬送された板ガラス４を所定の作業ラインに沿って長手方向に搬送させる搬送機３とを備える板ガラス搬送装置において、エアチャンバ１０の一側壁面に形成されたフィルタ２０の出入口には、ドア１２を設置し、ドア１２の内側面には、前記フィルタ２０を着設し、互いに一体型となるようにする。【選択図】図４
2007269490.tif 000002
【特許請求の範囲】
【請求項１】
作業台１上に設けられ、エアチャンバ１０と、その内部に設けられるフィルタ２０と、下部に設けられる吐出ファン３０とを有するエア浮上器２と、前記エア浮上器２の幅方向の両側部に設けられ、前記エア浮上器２の上部に搬送された板ガラス４を所定の作業ラインに沿って長手方向に搬送させる搬送機３とを備える板ガラス搬送装置において、
前記エアチャンバ１０の一側壁面に形成されたフィルタ２０の出入口には、ドア１２を設置し、前記ドア１２の内側面には、前記フィルタ２０を着設し、互いに一体型となるようにすることを特徴とする板ガラス搬送装置のフィルタ設置構造。
【請求項２】
前記ドア１２の周縁部には締付具１２ａが設けられ、前記エアチャンバ１０の当該壁面には、締付具１２ａを締め付ける締付孔１０ａが形成されることを特徴とする請求項１に記載の板ガラス搬送装置のフィルタ設置構造。
【請求項３】
前記エアチャンバ１０の内部の壁面には、前記エアチャンバ１０の内部空間に挿入するフィルタ２０の上面を支持する支持ピン１４が設けられることを特徴とする請求項１または２に記載の板ガラス搬送装置のフィルタ設置構造。
【請求項４】
前記支持ピン１４の一端部は、エアチャンバ１０の当該内壁面に固定され、その他端部は、内部空間に向かって所定の長さで水平延長され自由端となり、前記エアチャンバ１０の内部空間に挿入されたフィルタ２０の上面に密着する高さに設けられることを特徴とする請求項３に記載の板ガラス搬送装置のフィルタ設置構造。
【請求項５】
前記支持ピン１４は、エアチャンバ１０の内部空間のドア１２側及びその反対側にそれぞれ設けられ、内部空間に向かった各他端部が下方に向かって円弧状に湾曲突出して形成されることを特徴とする請求項４に記載の板ガラス搬送装置のフィルタ設置構造。
【発明の詳細な説明】
【技術分野】
【０００１】
本発明は、板ガラス搬送装置のフィルタ設置構造に関し、より詳しくは、エアチャンバの内部に設置するフィルタをドアに着設して、互いに一体型となるようにすることにより、フィルタの設置及び交替作業が迅速に行われるようにする板ガラス搬送装置のフィルタ設置構造に関する。
【背景技術】
【０００２】
一般に、板ガラス搬送装置は、作業台の上面に設けられ、エアを上部に吐出するエア浮上器と、前記エア浮上器の幅方向の両側に設けられ、吐出エアにより浮上された板ガラスを所定の作業ラインに沿って搬送させる搬送機とを備えており、前記エアチャンバの内部には、上部に吐出されるエアに含まれている埃等の不純物をろ過し、または均一な圧力維持のためにフィルタが設けられている。
【０００３】
ところが、従来の板ガラス搬送装置は、エアチャンバの内部にフィルタを設置または交替する際に、エアチャンバの開放された上面を覆っている上板を分離しなければならなかったので、フィルタの設置及び交替作業が相当に煩雑となるという問題点があった。
【０００４】
したがって、本願の出願人は、従来の問題点を改善するために、エアチャンバの一側壁面にドアで開閉する出入口を通じてフィルタを交替するようにしたものを、既に出願しているが、この出願の場合は、エアチャンバの上面を覆っている上板を分離するよりは、相対的に設置及び交替作業が便利であり、かつ時間が短縮されるという長所はあるが、ドアとフィルタが別個に分離構成されているため、ドアを開放した後、フィルタをエアチャンバの内部に設置または交替しなければならないので、作業が多少不便であり、かつ時間を多く短縮することが難しいという問題点があった。
【発明の開示】
【発明が解決しようとする課題】
【０００５】
本発明は、前記問題点に鑑みなされたものであり、フィルタの設置及び交替作業が極めて簡便かつ迅速に行われるようにする板ガラス搬送装置のフィルタ設置構造を提供することを目的とする。
【課題を解決するための手段】
【０００６】
前記の目的を達成するため、本発明による板ガラス搬送装置のフィルタ設置構造は、作業台上にエアチャンバとフィルタと吐出ファンとを有するエア浮上器が設けられ、前記エア浮上器の幅方向の両側部に、前記エア浮上器上に搬送された板ガラスを長手方向に搬送させる搬送機を備える板ガラス搬送装置において、前記エアチャンバの一側壁面にフィルタを出入させる出入口を開閉するドアの内側面にフィルタを着設し、ドアとフィルタが一体型となるようにすることを特徴とする。
【０００７】
また、本発明によるフィルタ設置構造において、前記ドアの周縁部には締付具が設けられ、前記締付具に対応するエアチャンバの壁面には、締付具を締め付ける締付孔を形成し、ドアを壁面に着設することが好ましい。
【０００８】
また、本発明によるフィルタ設置構造において、前記エアチャンバの内部の壁面には、内部に設けられたフィルタが上方に浮き上がることを防止する支持ピンを設け、フィルタの上面を支持させることが好ましい。
【０００９】
また、前記支持ピンが、当該内部の壁面に一端を固定し、その他端は、内部空間に向かって所定の長さで水平延長される自由端となり、エアチャンバの内部に設けられたフィルタの上面に密着する位置に設けられる。
【００１０】
また、前記各支持ピンが、エアチャンバの内部空間のうち、ドア側及びドアの反対側にそれぞれ設けられると共に、内部空間に向かった他端部は、下方に向かって円弧状に湾曲されて突出し、内部に設けられるフィルタにより押し上げることにより発生する復元力が作用し、フィルタの上面を支持するようにすることが好ましい。
【発明の効果】
【００１１】
本発明による板ガラス搬送装置のフィルタ設置構造によれば、エアチャンバの内部に設置するフィルタを前記エアチャンバの出入口を開閉するドアに着設し、互いに一体型となるように構成することにより、フィルタの設置作業が極めて簡便になると共に、フィルタの交替作業が迅速に行われ、作業能率が大きく向上するという効果が得られる。
【発明を実施するための最良の形態】
【００１２】
以下、本発明の好ましい実施の形態を、添付図面に基づいて詳しく説明する。
【００１３】
図１は、本発明の実施の形態によるフィルタ設置構造が適用された板ガラス搬送装置の一例を示す概略斜視図であり、図２は、図１における板ガラス搬送装置の一部を抜粋し、フィルタ設置構造が適用された状態を示す底面斜視図であり、図３は、図１における板ガラス搬送装置を一部切欠し、フィルタ設置構造が適用された状態を示す正面図である。
【００１４】
本発明の実施の形態によるフィルタ設置構造が適用される板ガラス搬送装置は、作業台１上に設けられるエア浮上器２と、前記エア浮上器の幅方向の両側部に設けられ、エア浮上器の上部に搬送された板ガラス４を、所定の作業ラインに沿って搬送させる搬送機３とで構成される。
【００１５】
エア浮上器２は、エアチャンバ１０と、前記エアチャンバの内部空間を仕切って設けられるフィルタ２０と、前記エアチャンバ１０の下部に設けられる吐出ファン３０とを備えてなり、前記エアチャンバ間の空間は、上面に密閉板５を結合して密閉させ、また、前記エアチャンバ１０の開放された上面を覆う上板１１には、エア吐出孔１１ａが形成されている。
【００１６】
また、エアチャンバ１０の一側壁面には、フィルタ２０の出入口を開閉するドア１２が設けられ、前記フィルタは、ドアの内側面に取り付けて、互いに一体型となるように構成する。
【００１７】
フィルタ２０をドア１２に取り付け、一体型とする取付手段（図示せず）としては、様々なものがあるが、例えば、スクリューやボルト等の締付手段や接着剤等を用いて互いに付着させることができるものである。
【００１８】
また、ドア１２の外側面には、フィルタ２０を容易に挿入及び引出可能にする取っ手１２ｂが設けられている。
【００１９】
また、ドア１２の周縁部には締付具１２ａが設けられており、前記締付具に対応するエアチャンバ１０の当該壁面には、前記締付具を締め付ける締付孔１０ａを形成し、前記ドアをエアチャンバの壁面に着設する。
【００２０】
締付具１２ａとしては、ボルトやスクリューが用いられ、この場合は、締付孔１０ａにボルトやスクリューに対応して螺旋（図示せず）を形成することが好ましい。
【００２１】
また、エアチャンバ１０の内部の壁面には、内部空間に挿入されたフィルタ２０の上面を支持する支持ピン１４が設けられている。
【００２２】
支持ピン１４は、エアチャンバ１０の内部空間のうち、ドア１２が設置される出入口側の内面及びその反対側にそれぞれ一端部が固定され、他端部は、内部空間に向かって所定の長さで水平延長され、自由端となるピン状となり、前記エアチャンバの内部空間に挿入されたフィルタ２０の上面に密着する位置に設けられる。
【００２３】
特に、支持ピン１４の内部空間に向かった他端部は、挿入されるフィルタ２０と接触すると、押し上げられて発生する復元力が作用し、前記フィルタの上面を支持可能に、下方に向かって円弧状に湾曲させ、その湾曲された端部は、さらに上向きになるようにする。
【００２４】
また、支持ピン１４は、ドア１２が設置される出入口側の内面及びその反対側において、フィルタ２０の上面の両側をそれぞれ支持するように、互いに一定の間隔で隔離して一対で設置することが好ましい。
【００２５】
このように構成される本発明の実施の形態によるフィルタ設置構造が適用された板ガラス搬送装置におけるエア浮上器２は、上方にある板ガラス４を浮上させる作動をするものであり、すなわち、吐出ファン３０が作動して発生する吐出エアがエアチャンバ１０の上板１１に形成されたエア吐出孔１１ａを経て上部に吐出され、上方にある板ガラス４を浮上させる。
【００２６】
このように浮上される板ガラス４の両側部は、両側の搬送機３に載せられているので、前記搬送機は、板ガラスが浮上されると共に、所定の作業ラインに沿って長手方向に搬送させる作動を行う。
【００２７】
このような板ガラス４の搬送作動を行う搬送装置において、前記エアチャンバ１０の内部に設けられたフィルタ２０を交替するときは、各締付具１２ａを取外し、ドア１２の着設状態を解体させた後、取っ手１２ｂを引っ張ると、前記ドアに一体型で着設されているフィルタがドアと一緒に外部に引き出される。
【００２８】
このように引き出された後、予め作製された新品に交替し、または、フィルタ２０をドア１２に一体型に取り付ける取付手段を取り外し、前記フィルタをドアから分離させた後、新たなフィルタをさらにドアに取り付け、エアチャンバ１０の内部に挿入し、締付具１２ａを締付孔１０ａに締め付けて固定させると、前記ドアがエアチャンバに着設すると共にフィルタの交替作業が完了する。
【００２９】
この際、エアチャンバ１０の内部に挿入されたフィルタ２０の上面は、支持ピン１４により支持された状態で設置される。
【００３０】
このように設置されると、フィルタ２０は、一側部がドア１２に着設された状態で、エアチャンバ１０の内部空間を浮上した状態で仕切るようになり、板ガラス４のエア浮上のために吐出ファン３０により吐出されるエアに含まれている埃等の不純物をろ過すると共に、エアチャンバ１０の内部圧力を均一にし、また、前記フィルタの上面は、支持ピン１４が支持しているので、吐出エアの吐出圧により上方に浮き上がることが防止される。
【図面の簡単な説明】
【００３１】
【図１】本発明の実施の形態によるフィルタ設置構造が適用された板ガラス搬送装置の一例を示す概略斜視図である。
【図２】図１における板ガラス搬送装置の一部を抜粋し、フィルタ設置構造が適用された状態を示す底面斜視図である。
【図３】図１における板ガラス搬送装置を一部切欠し、フィルタ設置構造が適用された状態を示す正面図である。
【図４】本発明の実施の形態によるフィルタ設置構造を抜粋して示す斜視図である。
【符号の説明】
【００３２】
１  作業台
２  エア浮上器
３  搬送機
４  板ガラス
５  密閉板
１０  エアチャンバ
１０ａ  締付孔
１１  上板
１１ａ  エア吐出孔
１２  ドア
１２ａ  締付具
１２ｂ  取っ手
１４  支持ピン
２０  フィルタ
３０  吐出ファン
【図１】
2007269490.tif 000003
【図２】
2007269490.tif 000004
【図３】
2007269490.tif 000005
【図４】
2007269490.tif 000006